(57)【要約】【課題】  撮像装置に関し、例えばカメラ一体型ビデオテープレコーダにおいて、機動性の劣化を有効に回避して、貴重な撮影の機会を逃すことなく記録できるようにする。【解決手段】  規定の記憶手段１６に順次循環的に撮像結果ＤＶ１を記録し、記録媒体２に撮像結果ＤＶ１の記録を開始する直前の規定時間の撮像結果ＤＶ１を、この記憶手段１６に保持する。【選択図】        図１
2005229640.tif 000002
【特許請求の範囲】
【請求項１】
撮像結果を規定の記録媒体に記録する撮像装置において、
待機状態において、規定の記憶手段に順次循環的に前記撮像結果を記録し、前記待機状態が解除されると、前記記録媒体に前記撮像結果の記録を開始すると共に、前記記憶手段への前記撮像結果の記録を終了することを特徴とする撮像装置。
【発明の詳細な説明】
【技術分野】
【０００１】
本発明は、撮像装置に関し、例えばカメラ一体型ビデオテープレコーダにおいて、規定の記憶手段に順次循環的に撮像結果を記録し、記録媒体に撮像結果の記録を開始する直前の規定時間の撮像結果を、この記憶手段に保持することにより、機動性の劣化を有効に回避して、貴重な撮影の機会を逃すことなく記録できるようにする。
【背景技術】
【０００２】
従来、この種の撮像装置でなるカメラ一体型ビデオテープレコーダにおいては、いわゆるワンマンオペレーションが可能なことにより、取材現場に携帯して種々の映像を記録し、記録した映像をニュース番組等に使用するようになされている。
【発明の開示】
【発明が解決しようとする課題】
【０００３】
ところでこのような取材現場において、カメラマンは、カメラ一体型ビデオテープレコーダの動作モードを待機状態に保持して待機し、取材の機会が訪れると、録画釦を押圧することによりカメラ一体型ビデオテープレコーダの動作モードを録画モードに切り換え、これにより種々の映像を記録する。
【０００４】
従ってカメラマンの予測し得ないような事態の急変等が発生した場合、従来のカメラ一体型ビデオテープレコーダでは、即座に録画釦を押圧しても、決定的な映像録画の機会を失う場合があった。
【０００５】
このような事態の急変が事前に予測される場合、カメラ一体型ビデオテープレコーダを常時録画状態に保持する方法も考えられるが、これでは磁気テープ、バッテリの消費量が膨大になり、カメラ一体型ビデオテープレコーダの機動性が損なわれる問題がある。また別途ビデオテープレコーダを接続して映像信号を常時記録する方法も考えられるが、この場合もカメラ一体型ビデオテープレコーダの機動性が損なわれる問題がある。
【０００６】
これに対してこのような場合に、別途外部メモリを介して撮像結果を遅延させて磁気テープに記録する方法も考えられるが、この場合も外部メモリを接続した分、カメラ一体型ビデオテープレコーダの機動性が損なわれる問題がある。
【０００７】
本発明は、以上の点を考慮してなされたもので、カメラ一体型ビデオテープレコーダの機動性の劣化を有効に回避して、貴重な撮影機会を逃すことなく記録することができる撮像装置を提案しようとするものである。
【課題を解決するための手段】
【０００８】
かかる課題を解決するため本発明においては、撮像結果を規定の記録媒体に記録する撮像装置に適用する。ここで待機状態において、規定の記憶手段に順次循環的に先の撮像結果を記録し、この待機状態が解除されると、記録媒体に撮像結果の記録を開始すると共に、先の記憶手段への撮像結果の記録を終了する。
【０００９】
またこのとき、先の記録媒体が、磁気テープでなり、先の記憶手段が、交換可能に保持され、先の撮像装置が、撮像結果をデータ圧縮して、オーディオ信号と共に先の記憶手段に記録するようにすることができる。
【００１０】
さらにこれに代えて、撮像装置が、先の記憶手段及び記録媒体に、先の撮像結果と共に、識別信号を記録し、この識別信号を基準にして対応する撮像結果を記憶手段及び記録媒体から再生できるようにすることができる。
【００１１】
これらの手段により、待機状態において、規定の記憶手段に順次循環的に撮像結果を記録し、この待機状態が解除されると、先の記録媒体に撮像結果の記録を開始すると共に、先の記憶手段への撮像結果の記録を終了すれば、記録媒体に撮像結果の記録を開始する直前の、規定期間の撮像結果を、この記憶手段に保持することができる。
【００１２】
また先の記録媒体が、磁気テープでなり、先の記憶手段が、交換可能に保持され、先の撮像装置が、撮像結果をデータ圧縮して、オーディオ信号と共に先の記憶手段に記憶すれば、カメラ一体型ビデオテープレコーダに適用することができる。
【００１３】
さらに先の記憶手段及び記録媒体に、先の撮像結果と共に、識別信号を記録し、この識別信号を基準にして対応する撮像結果を記憶手段及び記録媒体から再生できるようにすれば、編集作業等において、対応する撮像結果を簡易に再生することができる。
【発明の効果】
【００１４】
本発明によれば、待機状態において、規定の記憶手段に順次循環的に撮像結果を記録し、この待機状態が解除されると、記録媒体に撮像結果の記録を開始すると共に、先の記憶手段への撮像結果の記録を終了することにより、単にこの記憶手段を設けるだけで、この待機状態が解除されると、直前の規定期間の撮像結果をこの記憶手段に保持することができる。これによりこの種の撮像装置の機動性の劣化を有効に回避して、貴重な撮影の機会を逃すことなく記録することができる。
【発明を実施するための最良の形態】
【００１５】
以下、適宜図面を参照しながら本発明の実施の形態を詳述する。
【００１６】
図１は、本発明の第１の実施の形態に係るカメラ一体型ビデオテープレコーダの記録系を示すブロック図であり、このカメラ一体型ビデオテープレコーダ１においては、所望の被写体を撮像して得られるビデオ信号ＳＶを磁気テープ２に記録する。
【００１７】
すなわちこのカメラ一体型ビデオテープレコーダ１において、カメラ信号処理回路３は、図示しないＣＣＤ固体撮像素子の出力信号を信号処理し、撮像結果でなるビデオ信号ＤＶをディジタル信号の形式で出力する。続く映像信号圧縮回路４は、このビデオ信号ＤＶを規定のデータ圧縮手法によりデータ圧縮して出力する。ここでこのデータ圧縮手法は、ＭＰＥＧ（Moving Picture Experts Group）に類似のデータ圧縮手法であり、ＭＰＥＧと同様の階層構成でかつ動き補償、量子化、可変長符号化の手法によりデータ量を低減する。
【００１８】
これにより図２に示すように、映像信号圧縮回路４は、カメラ信号処理回路３より得られる１０〔ｂｉｔ〕、２７〔ＭＨｚ〕のビデオ信号ＤＶを４〔ｂｉｔ〕、６．７５〔ＭＨｚ〕のディジタルビデオ信号ＤＶ１に変換し、データ量を約１／１０に低減して出力する。なお映像信号圧縮回路４は、この種のデータ圧縮手法の階層構成の１つでなるＧＯＰ（Group Of Picture ）を単位としてデータ圧縮し、これによりカメラ一体型ビデオテープレコーダ１では、ディジタルビデオ信号ＤＶ１をランダムに再生しても、元のディジタルビデオ信号ＤＶを再生できるようになされている。
【００１９】
誤り訂正符号付加回路５は、規定のブロック単位でこのディジタルビデオ信号ＤＶ１に誤り訂正符号を付加した後、規定の順序で出力する。変調回路６は、磁気テープ２の記録に適した符号化方式によりこの誤り訂正符号付加回路５の出力データを符号化処理し、シリアルデータの形式で出力する。ロータリートランス７は、この変調回路６の出力データを回転ドラムに登載された記録増幅回路８に伝送し、この記録増幅回路８は、このロータリートランス７の出力データに応動して図示しない磁気ヘッドを駆動し、これにより磁気テープ２に順次斜めに記録トラックを形成してディジタルビデオ信号ＤＶを記録する。
【００２０】
このときカメラ一体型ビデオテープレコーダ１では、対応する磁気ヘッドが磁気テープを斜めに走査する期間の間の、規定の期間の間で、このビデオ信号ＤＶを記録し、記録トラックの残る領域を分割してそれぞれオーディオ信号ＳＡ及びインデックス信号ＩＤを記録する。
【００２１】
すなわちカメラ一体型ビデオテープレコーダ１において、アナログディジタル変換回路（Ａ／Ｄ）９は、マイクロフォン等を介して入力されるオーディオ信号をアナログディジタル変換処理し、ディジタルオーディオ信号ＤＡを生成する。誤り訂正符号付加回路５は、ディジタルビデオ信号ＤＶ１に加えて、規定のブロック単位でこのディジタルオーディオ信号ＤＡに誤り訂正符号を付加した後、規定の順序で出力する。変調回路６は、ディジタルビデオ信号ＤＶ１に加えて、このディジタルオーディオ信号ＤＡを符号化処理し、シリアルデータの形式で出力する。
【００２２】
このとき変調回路６は、磁気ヘッドの走査のタイミングを基準にして、規定のタイミングでこのシリアルデータを出力し、これによりカメラ一体型ビデオテープレコーダ１では、記録トラックを分割してオーディオ信号ＳＡ及びビデオ信号ＳＶを記録する。
【００２３】
さらにこのカメラ一体型ビデオテープレコーダ１において、ロータリートランス７は、図示しない変調回路を介して、システム制御回路１３より出力されるインデックス信号ＩＤを規定のタイミングで受け、規定のタイミングでオーディオ信号ＳＡ、ビデオ信号ＳＶに代えてこのインデックス信号ＩＤを磁気テープ２に斜め記録する。
【００２４】
これに対して記録増幅回路１４は、インデックス信号ＩＤに応じて規定の固定ヘッドを駆動することにより、磁気テープ２の長手方向に延長する記録トラックを形成し、この記録トラックにインデックス信号ＩＤを記録する。
【００２５】
ここでこのインデックス信号ＩＤは、このカメラ一体型ビデオテープレコーダ１において、録画釦１５の押圧操作に応動して出力され、１シーンの撮影が完了する毎にインクリメントされるようにシステム制御回路１３により生成される。すなわちこの種のカメラ一体型ビデオテープレコーダ１においては、録画釦１５の押圧操作を繰り返して、１本の磁気テープに数カットから数百カットの素材を記録するように使用され、必要に応じて各素材を選択的に記録し直すことにより、編集作業を実行するようになされている。これによりカメラ一体型ビデオテープレコーダ１においては、このインデックス信号ＩＤを基準にして編集時、各素材の頭出し等の処理を実行できるように形成され、これにより編集作業の効率を向上できるようになされている。
【００２６】
このような磁気テープ２に対するビデオ信号ＤＶ及びオーディオ信号ＳＡの記録系に加えて、カメラ一体型ビデオテープレコーダ１は、磁気テープ２に記録を開始する直前のビデオ信号ＤＶ及びオーディオ信号ＳＡをメモリ１６に保持する。
【００２７】
すなわちカメラ一体型ビデオテープレコーダ１において、レート変換回路１７は、映像信号圧縮回路４より出力される４〔ｂｉｔ〕、６．７５〔ＭＨｚ〕のディジタルビデオ信号ＤＶ１に受け、１６〔ｂｉｔ〕、１．６８７５〔ＭＨｚ〕のディジタルビデオ信号に変換して出力する（図２）。またレート変換回路１７は、アナログディジタル変換回路９より出力されるディジタルオーディオ信号ＤＡを受け、同様に１６ビットパラレルのデータに変換して出力する。これによりカメラ一体型ビデオテープレコーダ１では、効率良くディジタルビデオ信号ＤＶ１及びディジタルオーディオ信号ＤＡを記録できるようになされている。
【００２８】
メモリ１６は、このカメラ一体型ビデオテープレコーダ１に着脱自在に保持されたメモリカードで形成され、メモリ制御回路１８によりアドレス制御されて、ディジタルビデオ信号ＤＶ１、ディジタルオーディオ信号ＤＡ及びインデックス信号ＩＤを記録する。すなわち図３に示すように、このメモリ１６は、メモリ空間をシステムエリアとデータエリアに分割する。
【００２９】
メモリ１６は、さらにこのデータエリアを複数の記録領域ＡＲ０、ＡＲ１、ＡＲ２、……に分割し、磁気テープ２に記録した各素材に対応して、各素材の記録を開始する直前のディジタルビデオ信号ＤＶ１及びディジタルオーディオ信号ＤＡを各領域ＡＲ０、ＡＲ１、ＡＲ２、……に保持する。ここでこのディジタルビデオ信号ＤＶ１及びディジタルオーディオ信号ＤＡの記録は、待機の動作モードにおいて、矢印ａで示すように、メモリ制御回路１８により発行されるアドレスデータに従って、この記録領域ＡＲ０、ＡＲ１、ＡＲ２、……の１つに順次循環的にディジタルビデオ信号ＤＶ１及びディジタルオーディオ信号ＤＡを記録し、録画釦１５が押圧されると、この記録の動作を停止して実行される。
【００３０】
これにより図４に示すようにカメラ一体型ビデオテープレコーダ１では、映像信号圧縮回路４よりＧＯＰ単位で順次出力されるディジタルビデオ信号ＤＶ１（図４（Ａ））について、このディジタルビデオ信号ＤＶ１をメモリ１６に順次循環的に記録し（図４（Ｂ））、時点ｔ１で録画釦１５が押圧操作されると、メモリ１６への記録を中止し、続くＧＯＰからディジタルビデオ信号ＤＶ１を磁気テープ２に記録する（図４（Ｃ））。実際上、この実施の形態において、これら記録領域ＡＲ０、ＡＲ１、ＡＲ２、……は、数秒から数十秒のディジタルビデオ信号ＤＶ１及びディジタルオーディオ信号ＤＡを記録できるようにメモリ空間を確保して形成され、これによりカメラ一体型ビデオテープレコーダ１では、録画釦１５を押圧して録画を開始する直前の数秒から数十秒のディジタルビデオ信号ＤＶ１及びディジタルオーディオ信号ＤＡを記録できるようになされている。
【００３１】
これに対してメモリ１６は、システムエリアに管理用データを記録し、この管理用データにより磁気テープ２との対応関係等を記録する。さらにメモリ１６は、データエリアの記録領域ＡＲ０、ＡＲ１、ＡＲ２、……に対応して続くシステムエリアを分割し、各分割した領域に、対応する記録領域ＡＲ０、ＡＲ１、ＡＲ２、……を指定するアドレスデータ（ＡＲ０、ＡＲ１、ＡＲ２、……）、対応するインデックス信号ＩＤ０、ＩＤ１、ＩＤ２、……、各記録領域ＡＲ０、ＡＲ１、ＡＲ２、……のディジタルビデオ信号ＤＶ１及びディジタルオーディオ信号ＤＡの先頭記録位置を指定するアドレスデータＡＤｍ＋１、ＡＤｎ＋１、ＡＤｏ＋１、……を記録する。
【００３２】
かくするにつきメモリ制御回路１８は、システム制御回路１３により制御されて動作を切り換え、メモリ１６にアドレスデータ等を発行してメモリ１６の動作を制御する。システム制御回路１３は、このカメラ一体型ビデオテープレコーダ１全体の動作を制御するマイクロコンピュータで形成される。
【００３３】
すなわちシステム制御回路１３は、このカメラ一体型ビデオテープレコーダ１に磁気テープ２及びメモリ１６が装填され、このカメラ一体型ビデオテープレコーダ１が待機モードに設定されると、メモリ制御回路１８を制御してメモリ１６の管理用データを磁気テープ２のボリュームデータで書き換え、これによりメモリ１６に磁気テープ２との対応関係を記録する。
【００３４】
さらにシステム制御回路１３は、この状態でメモリ制御回路１８を待機モードにセットし、ディジタルビデオ信号ＤＶ１、ディジタルオーディオ信号ＤＡを順次循環的に第１の記録領域ＡＲ０に記録する。この状態でカメラマンが録画釦１５を押圧操作すると、システム制御回路１３は、このカメラ一体型ビデオテープレコーダ１全体の動作モードを記録モードに切り換え、順次入力されるディジタルビデオ信号ＤＶ１、ディジタルオーディオ信号ＤＡを磁気テープ２に記録すると共に、メモリ１６へのディジタルビデオ信号ＤＶ１及びディジタルオーディオ信号ＤＡの記録を停止する。
【００３５】
これに対応してメモリ制御回路１８は、ディジタルビデオ信号ＤＶ１及びディジタルオーディオ信号ＤＡの記録を停止したアドレスデータＡＤｍに対して（図３）、アドレス値を値１だけ加算してアドレスデータＡＤｍ＋１（すなわち続く記録を開始する直前にあったメモリ１６のアドレスデータでなり、この記録領域ＡＲ０において最も古いビデオ信号ＤＶ１、オーディオ信号ＤＡが記録されたアドレスデータでなる）を生成し、このアドレスデータＡＤｍ＋１を対応するシステムエリアに記録する。また同時にシステム制御回路１３より出力されるインデックス信号ＩＤ０をこの対応するシステムエリアに記録し、続く待機状態を待ち受ける。
【００３６】
これに対応してシステム制御回路１３は、磁気テープ２への記録を開始すると、このインデックス信号ＩＤをメモリ１６に出力し、またこのインデックス信号ＩＤを記録増幅回路１４、ロータリートランス７に出力し、これによりインデックス信号を有効に利用して、メモリ１６に記録したディジタルビデオ信号ＤＶ１及びディジタルオーディオ信号ＤＡと、続いて磁気テープ２に記録するディジタルビデオ信号ＤＶ１及びディジタルオーディオ信号ＤＡとの対応関係を磁気テープ２及びメモリ１６に記録する。
【００３７】
さらにシステム制御回路１３は、この状態でカメラマンが再び録画釦１５を押圧してカメラ一体型ビデオテープレコーダ１の動作モードが待機モードにセットされると、磁気テープ２への記録を停止すると共に、メモリ１６の続く記録領域ＡＲ１にディジタルビデオ信号ＤＶ１、ディジタルオーディオ信号ＤＡの記録を開始する。これによりカメラ一体型ビデオテープレコーダ１においては、磁気テープ２に記録を開始する直前の、規定の時間だけ撮像結果をメモリ１６に保持でき、機動性の劣化を有効に回避して、貴重な撮影の機会を逃すことなく記録することができる。さらにこのときインデックス信号ＩＤを基準にして磁気テープ２及びメモリ１６の対応関係を明確にしたことにより、編集等の作業において、このインデックス信号ＩＤを基準にして対応するディジタルビデオ信号ＤＶ１及びディジタルオーディオ信号ＤＡを連続して再生することができ、その分効率良く編集作業等の処理を実行することができる。
【００３８】
すなわち図５は、このカメラ一体型ビデオテープレコーダ１により記録した磁気テープ２を編集する編集システムのビデオテープレコーダを示すブロック図である。この編集システムは、磁気テープ２及びこの磁気テープ２に対応するメモリ１６に記録したディジタルビデオ信号ＤＶ１及びディジタルオーディオ信号ＤＡを、ビデオテープレコーダ２０により再生して他のビデオテープレコーダに記録し直し、この他のビデオテープレコーダによりディジタルビデオ信号ＤＶ１及びディジタルオーディオ信号ＤＡを編集する。
【００３９】
すなわちこのビデオテープレコーダ２０において、再生増幅回路２１は、回転ドラムに登載されて、磁気ヘッドより得られる再生信号を増幅してロータリートランス２２に出力し、ロータリートランス２２は、この再生信号を復調回路２４に出力する。
【００４０】
復調回路２４は、この再生信号を規定のタイミングで取り込んで２値化し、その結果得られるシリアルデータを復号して出力する。続く誤り訂正回路２８は、この復調回路２４の出力データを誤り訂正処理し、これによりディジタルオーディオ信号ＤＡ及びディジタルビデオ信号ＤＶ１を再生して出力する。ディジタルアナログ変換回路（Ｄ／Ａ）２７は、順次入力されるディジタルオーディオ信号ＤＡをディジタルアナログ変換処理し、これにより元のオーディオ信号ＳＡを再生して出力する。
【００４１】
これに対して映像信号伸長回路２９は、順次入力されるディジタルビデオ信号ＤＶ１をデータ伸長し、これによりディジタルビデオ信号ＤＶを再生して出力する。
【００４２】
再生増幅回路３０は、固定ヘッドより得られる磁気テープ２の再生信号を増幅して出力する。復調回路３１は、この再生増幅回路３０より出力される再生信号を取り込んで２値化し、これによりインデックス信号ＩＤを再生して出力する。また再生増幅回路３０は、ロータリートランス２２より出力される再生信号を規定のタイミングで取り込んで２値化し、これにより磁気テープ２に斜め記録したインデックス信号ＩＤを再生して出力する。
【００４３】
これによりビデオテープレコーダ２０では、早送り、巻き戻し等により磁気テープ２を頭出しする場合、磁気テープ２の長手方向に記録したインデックス信号ＩＤにより、迅速に頭出し、また記録トラック単位で編集処理する場合等は、磁気テープ２に斜め記録したインデックス信号ＩＤにより確実に処理できるようになされている。
【００４４】
この磁気テープ２に対する再生系に加えて、ビデオテープレコーダ２０において、レート変換回路３２は、再生時、メモリ１６より出力される１６ビットパラレルのディジタルビデオ信号及びディジタルオーディオ信号を元のビットパラレルのデータに変換して出力する。メモリ制御回路３３は、メモリ１６にアドレスデータ等を出力し、メモリ１６の動作を制御する。
【００４５】
システム制御回路３４は、このビデオテープレコーダ２０全体の動作を制御するマイクロコンピュータで形成され、メモリ１６より読み出したインデックス信号ＩＤと、磁気テープ２より再生されたインデックス信号ＩＤとを基準にして、メモリ１６及び磁気テープ２からディジタルビデオ信号ＤＶ１及びディジタルオーディオ信号ＤＡを順次映像信号伸長回路２９及びディジタルアナログ変換回路２７に出力することにより、インデックス信号ＩＤにより対応関係を明示してメモリ１６及び磁気テープ２に分割して記録したディジタルビデオ信号ＤＶ１及びディジタルオーディオ信号ＤＡを連続して再生する。
【００４６】
すなわちシステム制御回路３４は、始めに、メモリ１６のシステムエリアより第１の記録領域ＡＲ０の先頭記録位置のアドレスデータＡＤ、対応するインデックス信号ＩＤを読み出す。続いてシステム制御回路３４は、再生増幅回路３０より得られるインデックス信号ＩＤをモニタしながら、磁気テープ２を早送り、巻き戻し、第１の記録領域ＡＲ０に対応する記録開始位置に磁気テープ２を頭出しした後、磁気テープ２の走行を停止して再生待機状態に保持する。
【００４７】
続いてシステム制御回路３４は、読み出しのコマンドと共にこのアドレスデータＡＤをメモリ制御回路３３に出力する。メモリ制御回路３３は、これに応動して、このアドレスデータＡＤで指定される記録開始位置から、順次アドレスデータを発行してメモリ１６よりディジタルビデオ信号ＤＶ１及びディジタルオーディオ信号ＤＡを読み出し、この読み出した信号ＤＶ１及びＤＡを映像信号伸長回路２９及びディジタルアナログ変換回路２７に出力する。これによりビデオテープレコーダ２０では、メモリ１６に記録したディジタルビデオ信号ＤＶ１、ディジタルオーディオ信号ＤＡをダビング用のビデオテープレコーダに出力する。
【００４８】
この状態でシステム制御回路３４は、メモリ制御回路３３の動作をモニタし、アドレスデータＡＤの直前のアドレスにおいてメモリ制御回路３３が読み出し動作を停止すると、磁気テープ２の待機状態を解除して磁気テープ２の再生を開始するように全体の動作を制御する。これによりビデオテープレコーダ２０では、録画釦１５を押圧する直前に記録したディジタルビデオ信号ＤＶ１及びディジタルオーディオ信号ＤＡに続いて、続くディジタルビデオ信号ＤＶ１及びディジタルオーディオ信号ＤＡをダビング用のビデオテープレコーダに出力する。
【００４９】
この状態でシステム制御回路３４は、メモリ１６のシステムエリアより続く記録領域ＡＲ１のインデックス信号ＩＤ、記録開始アドレスデータＡＤをロードし、磁気テープ２において続く素材の記録開始位置になると、磁気テープ２を再生待機状態に切り換え、この記録開始アドレスデータＡＤを基準にしてメモリ１６から続くディジタルビデオ信号ＤＶ１及びディジタルオーディオ信号ＤＡを読み出す。これによりビデオテープレコーダ２０では、この一連の処理を繰り返して、磁気テープ２及びメモリ１６に記録したディジタルビデオ信号ＤＶ１及びディジタルオーディオ信号ＤＡを別途磁気テープに記録し直した後、従来と同様の処理手順により編集作業を実行できるようになされている。
【００５０】
以上の構成において、カメラ一体型ビデオテープレコーダ１（図１）において、カメラマンが待機状態にセットすると、被写体を撮像して得られるディジタルビデオ信号ＤＶは、映像信号圧縮回路４においてほぼ１／１０のデータ量に圧縮された後、ディジタルオーディオ信号ＤＡと共にレート変換回路１７に入力され、ここで１６ビットパラレルのデータに変換される。この１６ビットパラレルのデータは、メモリ１６のデータエリアに形成された規定の記録領域に順次循環的に記録され、これによりこの記録領域に最新のディジタルビデオ信号ＤＶ１及びディジタルオーディオ信号ＤＡがこの記録領域のメモリ空間分、常に保持される。
【００５１】
この状態でカメラマンが録画釦１５を押圧操作すると、メモリ１６へのディジタルビデオ信号ＤＶ１及びディジタルオーディオ信号ＤＡの書き込みが停止制御され、これにより録画釦１５を押圧する直前のディジタルビデオ信号ＤＶ１及びディジタルオーディオ信号ＤＡがメモリ１６に保持される。同時に磁気テープ２による記録が開始され、ディジタルビデオ信号ＤＶ１及びディジタルオーディオ信号ＤＡは、誤り訂正符号付加回路５、変調回路６、ロータリートランス７、記録増幅回路８を介して磁気テープ２に斜め記録される。
【００５２】
これにより録画釦１５を押圧した後のディジタルビデオ信号ＤＶ１及びディジタルオーディオ信号ＤＡが磁気テープ２に記録され、メモリ１６及び磁気テープ２とで録画釦１５を押圧する直前の規定期間より一連の被写体を撮像することができ、貴重な撮影機会を逃すことなく記録することができる。
【００５３】
このとき、システム制御回路１３によりインデックス信号ＩＤが出力され、またシステム制御回路１３において、メモリ１６の記録終了位置から、先頭記録位置のアドレスデータＡＤが生成される。この先頭記録位置のアドレスデータＡＤ及びインデックス信号ＩＤは、メモリ１６のシステムエリアに記録され、またこのインデックス信号ＩＤは、磁気テープ２の記録開始位置、長手方向の延長する記録トラック及び斜め記録トラックに記録される。これにより磁気テープ２及びメモリ１６の記録内容の関連がメモリ１６及び磁気テープ２に記録され、またメモリ１６の再生開始位置がメモリ１６のシステムエリアに記録される。
【００５４】
これにより再生時、メモリ１６に記録した先頭記録位置よりディジタルビデオ信号ＤＶ１及びディジタルオーディオ信号ＤＡを再生した後、続いてインデックス信号ＩＤを基準にして対応するディジタルビデオ信号ＤＶ１及びディジタルオーディオ信号ＤＡを磁気テープ２より再生して、磁気テープ２及びメモリ１６に分割して記録した一連の内容を記録順に再生することができる。
【００５５】
以上の構成によれば、待機状態において、メモリ１６に順次循環的にディジタルビデオ信号ＤＶ１及びディジタルオーディオ信号ＤＡを記録し、録画釦１５が押圧されると、メモリ１６の記録を停止すると共に、磁気テープ２にディジタルビデオ信号ＤＶ１及びディジタルオーディオ信号ＤＡを記録することにより、録画釦１５を押圧する直前のディジタルビデオ信号ＤＶ１及びディジタルオーディオ信号ＤＡについても記録に残すことができる。これにより単にメモリカードを登載するだけで、貴重な撮影の機会を逃すことなく被写体を撮像することができ、その分カメラ一体型ビデオテープレコーダの機動性の劣化を有効に回避することができる。
【００５６】
このときインデックス信号を記録して、メモリ１６及び磁気テープ２の内容を関連付けて記録したことにより、録画釦１５の押圧操作を繰り返して多くの素材を磁気テープ２に記録した場合でも、この磁気テープ２に記録した素材に対して、メモリ１６から対応するディジタルビデオ信号ＤＶ１及びディジタルオーディオ信号ＤＡを確実に再生することができる。
【００５７】
なお上述の実施の形態においては、編集システムにおいて、ディジタルビデオ信号ＤＶ１及びディジタルオーディオ信号ＤＡを他のビデオテープレコーダにより記録し直して編集する場合について述べたが、本発明はこれに限らず、ハードディスク装置、光ディスク装置等に記録し直すようにしてもよい。またこれらの場合に、システムエリアの内容、磁気テープに記録したインデックス信号を基準にして直接編集処理してもよい。
【００５８】
また上述の実施の形態においては、磁気テープ２及びメモリ１６とで同一のインデックス信号を記録する場合について述べたが、本発明はこれに限らず、要は磁気テープ２及びメモリ１６の記録内容について対応関係を把握できれば種々の識別信号を適用することができ、例えば磁気テープ２及びメモリ１６で異なるインデックス信号を記録してもよい。またインデックス信号に代えて磁気テープ側に対応するシステムエリアの内容を記録して識別信号としてもよい。
【００５９】
さらに上述の実施の形態においては、磁気テープ及びメモリカードに撮像結果を記録する場合について述べたが、本発明はこれに限らず、例えば磁気テープのアンローディングに先立って、メモリ１６の内容を磁気テープ２の規定領域に纏めて記録し直すことにより、撮像結果を磁気テープ２に纏めて記録することもできる。
【００６０】
また上述の実施の形態においては、記録媒体として磁気テープを用いる場合について述べたが、本発明はこれに限らず、記録媒体として磁気ディスクを用いる場合、さらには光ディスクを用いる場合等、種々の記録媒体を用いて映像信号を記録する場合に広く適用することができる。なおこれら磁気ディスク等の記録媒体を用いる場合に、メモリ１６に代えて、これら記録媒体の規定領域を用いてもよい。
【図面の簡単な説明】
【００６１】
【図１】本発明の実施の形態に係るカメラ一体型ビデオテープレコーダを示すブロック図である。
【図２】図１のカメラ一体型ビデオテープレコーダにおけるディジタルビデオ信号の処理の説明に供するブロック図である。
【図３】図１のカメラ一体型ビデオテープレコーダにおけるメモリの構成を示す略線図である。
【図４】図１のカメラ一体型ビデオテープレコーダの動作の説明に供する略線図である。
【図５】図１のカメラ一体型ビデオテープレコーダにより記録された内容を編集するビデオテープレコーダを示すブロック図である。
【符号の説明】
【００６２】
１ カメラ一体型ビデオテープレコーダ、２ 磁気テープ、４ 映像信号圧縮回路、１６ メモリ、１７、３２ レート変換回路、１８、３３ メモリ制御回路、１３、３４ システム制御回路、２９ 映像信号伸長回路
【図１】
2005229640.tif 000003
【図２】
2005229640.tif 000004
【図３】
2005229640.tif 000005
【図４】
2005229640.tif 000006
【図５】
2005229640.tif 000007
【手続補正書】
【提出日】平成17年4月11日(2005.4.11)
【手続補正２】
【補正対象書類名】特許請求の範囲
【補正対象項目名】全文
【補正方法】変更
【補正の内容】
【特許請求の範囲】
【請求項１】
撮像結果を記録媒体に記録する撮像装置であって、
メモリの動作を制御するためのアドレスデータを発行してアドレス制御するメモリ制御回路を有し、
装填された着脱自在のメモリを該メモリ制御回路よって制御することによって、撮像結果として得られたビデオ信号を上記着脱自在のメモリに記録することを特徴とする撮像装置。
【請求項２】
録画釦の押圧操作に応動して出力されるインデックス信号を上記着脱自在のメモリに記録することを特徴とする請求項１に記載の撮像装置。
【請求項３】
撮像結果として得られたビデオ信号を規定のデータ圧縮手法によりデータ圧縮して出力する映像信号圧縮回路をさらに有することを特徴とする請求項１に記載の撮像装置。
【請求項４】
ディジタルオーディオ信号を上記着脱自在のメモリに記録することを特徴とする請求項１に記載の撮像装置。
【請求項５】
上記着脱自在のメモリのメモリ空間をシステムエリアとデータエリアに分割することを特徴とする請求項１に記載の撮像装置。
【請求項６】
撮像結果として得られたビデオ信号に誤り訂正符号を付加する誤り訂正符号付加回路をさらに有することを特徴とする請求項１に記載の撮像装置。
【請求項７】
撮像結果を記録媒体に記録する撮像装置における撮像方法であって、
前記撮像装置に装填された着脱自在のメモリの動作を制御するためのアドレスデータを発行してアドレス制御し、撮像結果として得られたビデオ信号を上記着脱自在のメモリに記録することを特徴とする撮像方法。
【請求項８】
撮像結果を記録媒体に記録する撮像装置に装填される着脱自在のメモリであって、
上記撮像装置の有するメモリ制御回路が発行するアドレスデータによってアドレス制御されることによって動作が制御され、撮像結果として得られたビデオ信号が記録されることを特徴とする着脱自在のメモリ。
【手続補正３】
【補正対象書類名】明細書
【補正対象項目名】０００１
【補正方法】変更
【補正の内容】
【０００１】
本発明は、撮像装置、撮像方法及びメモリに関し、例えばカメラ一体型ビデオテープレコーダにおいて、規定の記憶手段に順次循環的に撮像結果を記録し、記録媒体に撮像結果の記録を開始する直前の規定時間の撮像結果を、この記憶手段に保持することにより、機動性の劣化を有効に回避して、貴重な撮影の機会を逃すことなく記録できるようにする。
【手続補正４】
【補正対象書類名】明細書
【補正対象項目名】０００７
【補正方法】変更
【補正の内容】
【０００７】
本発明は、以上の点を考慮してなされたもので、カメラ一体型ビデオテープレコーダの機動性の劣化を有効に回避して、貴重な撮影機会を逃すことなく記録することができる撮像装置、撮像方法及びメモリを提案しようとするものである。
【手続補正５】
【補正対象書類名】明細書
【補正対象項目名】０００８
【補正方法】変更
【補正の内容】
【０００８】
本発明は、撮像結果を記録媒体に記録する撮像装置であって、メモリの動作を制御するためのアドレスデータを発行してアドレス制御するメモリ制御回路を有し、装填された着脱自在のメモリを該メモリ制御回路よって制御することによって、撮像結果として得られたビデオ信号を上記着脱自在のメモリに記録することを特徴とする。
【手続補正６】
【補正対象書類名】明細書
【補正対象項目名】０００９
【補正方法】変更
【補正の内容】
【０００９】
また、本発明は、撮像結果を記録媒体に記録する撮像装置における撮像方法であって、前記撮像装置に装填された着脱自在のメモリの動作を制御するためのアドレスデータを発行してアドレス制御し、撮像結果として得られたビデオ信号を上記着脱自在のメモリに記録することを特徴とする。
【手続補正７】
【補正対象書類名】明細書
【補正対象項目名】００１０
【補正方法】変更
【補正の内容】
【００１０】
さらに、本発明は、撮像結果を記録媒体に記録する撮像装置に装填される着脱自在のメモリであって、上記撮像装置の有するメモリ制御回路が発行するアドレスデータによってアドレス制御されることによって動作が制御され、撮像結果として得られたビデオ信号が記録されることを特徴とする。
【手続補正８】
【補正対象書類名】明細書
【補正対象項目名】００１１
【補正方法】削除
【補正の内容】
【手続補正９】
【補正対象書類名】明細書
【補正対象項目名】００１４
【補正方法】変更
【補正の内容】
【００１４】
本発明によれば、撮像装置に装填された着脱自在のメモリに待機状態において撮像結果を記録し、この待機状態が解除されると、記録媒体に撮像結果の記録を開始すると共に、先の着脱自在のメモリへの撮像結果の記録を終了することにより、単に着脱自在のメモリを設けるだけで、この待機状態が解除されると、直前の規定期間の撮像結果をこの着脱自在のメモリに保持することができる。これによりこの種の撮像装置の機動性の劣化を有効に回避して、貴重な撮影の機会を逃すことなく記録することができる。